【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
０度、９０度、１８０度、２７０度位相差の出力信号を持つ４相電力分配器と、
前記４相電力分配器から出力される前記４信号を入力し、０＜ｘ≦９０の任意の値ｘに対して０度、ｘ度、１８０度、（１８０＋ｘ）度の位相差を持つ４信号を出力するｘ度位相器とから構成され、
前記ｘ度位相器として、
第１の入力端子に第１の抵抗素子の一端および第１の容量素子の一端を接続し、第２の入力端子に第２の抵抗素子の一端および第２の容量素子の一端を接続し、第３の入力端子に第３の抵抗素子の一端および第３の容量素子の一端を接続し、第４の入力端子に第４の抵抗素子の一端および第４の容量素子の一端を接続し、前記第１の抵抗素子の他端に前記第４の容量素子の他端および第１の出力端子を接続し、前記第２の抵抗素子の他端に前記第１の容量素子の他端および第２の出力端子を接続し、前記第３の抵抗素子の他端に前記第２の容量素子の他端および第３の出力端子を接続し、前記第４の抵抗素子の他端に前記第３の容量素子の他端および第４の出力端子を接続したＲＣ位相器を用い、
前記ｘ度位相器の第１の入力端子に前記４相電力分配器の０度位相信号を出力する端子を接続し、前記ｘ度位相器の第２の入力端子に前記４相電力分配器の９０度位相信号を出力する端子を接続し、前記ｘ度位相器の第３の入力端子に前記４相電力分配器の１８０度位相信号を出力する端子を接続し、前記ｘ度位相器の第４の入力端子に前記４相電力分配器の２７０度位相信号を出力する端子を接続することを特徴とした広帯域位相器。
【請求項２】
０度、９０度、１８０度、２７０度位相差の出力信号を持つ４相電力分配器と、
前記４相電力分配器から出力される前記４信号を入力し、０＜ｘ≦９０の任意の値ｘに対して０度、ｘ度、１８０度、（１８０＋ｘ）度の位相差を持つ４信号を出力するｘ度位相器とから構成され、
前記ｘ度位相器として、
第１の入力端子に第１の抵抗素子の一端および第１の容量素子の一端を接続し、第２の入力端子に第２の抵抗素子の一端および第２の容量素子の一端を接続し、第３の入力端子に第３の抵抗素子の一端および第３の容量素子の一端を接続し、第４の入力端子に第４の抵抗素子の一端および第４の容量素子の一端を接続し、前記第１の抵抗素子の他端に第５の容量素子の一端を接続し、前記第２の抵抗素子の他端に第６の容量素子の一端を接続し、前記第３の抵抗素子の他端に第７の容量素子の一端を接続し、前記第４の抵抗素子の他端に第８の容量素子の一端を接続し、前記第５の容量素子の他端に前記第４の容量素子の他端および第１の出力端子を接続し、前記第６の容量素子の他端に前記第１の容量素子の他端および第２の出力端子を接続し、前記第７の容量素子の他端に前記第２の容量素子の他端および第３の出力端子を接続し、前記第８の容量素子の他端に前記第３の容量素子の他端および第４の出力端子を接続したＲＣ位相器を用い、
前記ｘ度位相器の第１の入力端子に前記４相電力分配器の０度位相信号を出力する端子を接続し、前記ｘ度位相器の第２の入力端子に前記４相電力分配器の９０度位相信号を出力する端子を接続し、前記ｘ度位相器の第３の入力端子に前記４相電力分配器の１８０度位相信号を出力する端子を接続し、前記ｘ度位相器の第４の入力端子に前記４相電力分配器の２７０度位相信号を出力する端子を接続することを特徴とした広帯域位相器。
【請求項３】
０度、９０度、１８０度、２７０度位相差の出力信号を持つ４相電力分配器と、
前記４相電力分配器から出力される前記４信号を入力し、０＜ｘ≦９０の任意の値ｘに対して０度、ｘ度、１８０度、（１８０＋ｘ）度の位相差を持つ４信号を出力するｘ度位相器とから構成され、
前記ｘ度位相器として、
第１の入力端子に第１の抵抗素子の一端および第１の容量素子の一端を接続し、第２の入力端子に第２の抵抗素子の一端および第２の容量素子の一端を接続し、第３の入力端子に第３の抵抗素子の一端および第３の容量素子の一端を接続し、第４の入力端子に第４の抵抗素子の一端および第４の抵抗素子の一端を接続し、前記第１の容量素子の他端に第５の抵抗素子の一端を接続し、前記第２の容量素子の他端に第６の抵抗素子の一端を接続し、前記第３の容量素子の他端に第７の抵抗素子の一端を接続し、前記第４の容量素子の他端に第８の抵抗素子の一端を接続し、前記第１の抵抗素子の他端に前記第８の抵抗素子の他端および第１の出力端子を接続し、前記第２の抵抗素子の他端に前記第５の抵抗素子の他端および第２の出力端子を接続し、前記第３の抵抗素子の他端に前記第６の抵抗素子の他端および第３の出力端子を接続し、前記第４の抵抗素子の他端に前記第７の抵抗素子の他端および第４の出力端子を接続したＲＣ位相器を用い、
前記ｘ度位相器の第１の入力端子に前記４相電力分配器の０度位相信号を出力する端子を接続し、前記ｘ度位相器の第２の入力端子に前記４相電力分配器の９０度位相信号を出力する端子を接続し、前記ｘ度位相器の第３の入力端子に前記４相電力分配器の１８０度位相信号を出力する端子を接続し、前記ｘ度位相器の第４の入力端子に前記４相電力分配器の２７０度位相信号を出力する端子を接続することを特徴とした広帯域位相器。
【請求項４】
０度、９０度、１８０度、２７０度位相差の出力信号を持つ４相電力分配器と、
前記４相電力分配器から出力される前記４信号を入力し、０＜ｘ≦９０の任意の値ｘに対して０度、ｘ度、１８０度、（１８０＋ｘ）度の位相差を持つ４信号を出力するｘ度位相器とから構成され、
前記ｘ度位相器として、
第１の入力端子に第１の抵抗素子の一端および第１の容量素子の一端を接続し、第２の入力端子に第２の抵抗素子の一端および第２の容量素子の一端を接続し、第３の入力端子に第３の抵抗素子の一端および第３の容量素子の一端を接続し、第４の入力端子に第４の抵抗素子の一端および第４の容量素子の一端を接続し、前記第１の抵抗素子の他端に第５の容量素子の一端を接続し、前記第２の抵抗素子の他端に第６の容量素子の一端を接続し、前記第３の抵抗素子の他端に第７の容量素子の一端を接続し、前記第４の抵抗素子の他端に第８の容量素子の一端を接続し、前記第１の容量素子の他端に第５の抵抗素子の一端を接続し、前記第２の容量素子の他端に第６の抵抗素子の一端を接続し、前記第３の容量素子の他端に第７の抵抗素子の一端を接続し、
前記第４の容量素子の他端に第８の抵抗素子の一端を接続し、前記第５の容量素子の他端に前記第８の抵抗素子の他端および第１の出力端子を接続し、前記第６の容量素子の他端に前記第５の抵抗素子の他端および第２の出力端子を接続し、前記第７の容量素子の他端に前記第６の抵抗素子の他端および第３の出力端子を接続し、前記第８の容量素子の他端に前記第７の抵抗素子の他端および第４の出力端子を接続したＲＣ位相器を用い、
前記ｘ度位相器の第１の入力端子に前記４相電力分配器の０度位相信号を出力する端子を接続し、前記ｘ度位相器の第２の入力端子に前記４相電力分配器の９０度位相信号を出力する端子を接続し、前記ｘ度位相器の第３の入力端子に前記４相電力分配器の１８０度位相信号を出力する端子を接続し、前記ｘ度位相器の第４の入力端子に前記４相電力分配器の２７０度位相信号を出力する端子を接続することを特徴とした広帯域位相器。
【請求項５】
請求項１乃至請求項４の何れかに記載の広帯域位相器において、前記４相電力分配器として、
基本ブロックが
第１の入力端子に第１の抵抗素子の一端および第１の容量素子の一端を接続し、第２の入力端子に第２の抵抗素子の一端および第２の容量素子の一端を接続し、第３の入力端子に第３の抵抗素子の一端および第３の容量素子の一端を接続し、第４の入力端子に第４の抵抗素子の一端および第４の容量素子の一端を接続し、前記第１の抵抗素子の他端に前記第４の容量素子の他端および第１の出力端子を接続し、前記第２の抵抗素子の他端に前記第１の容量素子の他端および第２の出力端子を接続し、前記第３の抵抗素子の他端に前記第２の容量素子の他端および第３の出力端子を接続し、前記第４の抵抗素子の他端に前記第３の容量素子の他端および第４の出力端子を接続した構成であり、
前記基本ブロックの複数段構成とする場合の第１の出力端子に後段の第１の入力端子を接続し、第２の出力端子に後段の第２の入力端子を接続し、第３の出力端子に後段の第３の入力端子を接続し、第４の出力端子に後段の第４の入力端子を接続し、
前記第１段目の基本ブロックにおける第２と第４の入力端子を接地し、前記第１と第３の入力端子に１８０度の位相差の信号を入力し、０度、９０度、１８０度、２７０度の位相差を持つ４信号を出力するポリフェーズフィルタ型４相電力分配器を用いることを特徴とした広帯域位相器。
【請求項６】
請求項１乃至請求項４の何れかに記載の広帯域位相器において、前記４相電力分配器として、
基本ブロックが、
第１の入力端子に第１の抵抗素子の一端および第１の容量素子の一端を接続し、第２の入力端子に第２の抵抗素子の一端および第２の容量素子の一端を接続し、第３の入力端子に第３の抵抗素子の一端および第３の容量素子の一端を接続し、第４の入力端子に第４の抵抗素子の一端および第４の容量素子の一端を接続し、前記第１の抵抗素子の他端に前記第４の容量素子の他端および第１の出力端子を接続し、前記第２の抵抗素子の他端に前記第１の容量素子の他端および第２の出力端子を接続し、前記第３の抵抗素子の他端に前記第２の容量素子の他端および第３の出力端子を接続し、前記第４の抵抗素子の他端に前記第３の容量素子の他端および第４の出力端子を接続した構成であり、
前記基本ブロックを複数段構成とする場合の第１の出力端子に後段の第１の入力端子を接続し、第２の出力端子に後段の第２の入力端子を接続し、第３の出力端子に後段の第３の入力端子を接続し、第４の出力端子に後段の第４の入力端子を接続し、
前記第１段目の基本ブロックの第１と第２の入力端子に０度の、第３と第４の入力端子に１８０度の位相差の信号をそれぞれ入力し、０度、９０度、１８０度、２７０度の位相差を持つ４信号を出力するポリフェーズフィルタ型４相電力分配器を用いることを特徴とした広帯域位相器。
【手続補正２】
【補正対象書類名】明細書
【補正対象項目名】００１７
【補正方法】変更
【補正の内容】
【００１７】
上記問題点を解決するために、本発明の請求項１における位相器は、０度、９０度、１８０度、２７０度位相差の出力信号を持つ４相電力分配器と、前記４相電力分配器から出力される前記４信号を入力し、０＜ｘ≦９０の任意の値ｘに対して０度、ｘ度、１８０度、（１８０＋ｘ）度の位相差を持つ４信号を出力するｘ度位相器から構成され、前記ｘ度位相器として、第１の入力端子に第１の抵抗素子の一端および第１の容量素子の一端を接続し、第２の入力端子に第２の抵抗素子の一端および第２の容量素子の一端を接続し、第３の入力端子に第３の抵抗素子の一端および第３の容量素子の一端を接続し、第４の入力端子に第４の抵抗素子の一端および第４の容量素子の一端を接続し、前記第１の抵抗素子の他端に前記第４の容量素子の他端および第１の出力端子を接続し、前記第２の抵抗素子の他端に前記第１の容量素子の他端および第２の出力端子を接続し、前記第３の抵抗素子の他端に前記第２の容量素子の他端および第３の出力端子を接続し、前記第４の抵抗素子の他端に前記第３の容量素子の他端および第４の出力端子を接続したＲＣ位相器を用い、前記ｘ度位相器の第１の入力端子に前記４相電力分配器の０度位相信号を出力する端子を接続し、前記ｘ度位相器の第２の入力端子に前記４相電力分配器の９０度位相信号を出力する端子を接続し、前記ｘ度位相器の第３の入力端子に前記４相電力分配器の１８０度位相信号を出力する端子を接続し、前記ｘ度位相器の第４の入力端子に前記４相電力分配器の２７０度位相信号を出力する端子を接続した構成としている。
【手続補正３】
【補正対象書類名】明細書
【補正対象項目名】００１８
【補正方法】変更
【補正の内容】
【００１８】
また、本発明の請求項２における位相器は、０度、９０度、１８０度、２７０度位相差の出力信号を持つ４相電力分配器と、前記４相電力分配器から出力される前記４信号を入力し、０＜ｘ≦９０の任意の値ｘに対して０度、ｘ度、１８０度、（１８０＋ｘ）度の位相差を持つ４信号を出力するｘ度位相器とから構成され、前記ｘ度位相器として、第１の入力端子に第１の抵抗素子の一端および第１の容量素子の一端を接続し、第２の入力端子に第２の抵抗素子の一端および第２の容量素子の一端を接続し、第３の入力端子に第３の抵抗素子の一端および第３の容量素子の一端を接続し、第４の入力端子に第４の抵抗素子の一端および第４の容量素子の一端を接続し、前記第１の抵抗素子の他端に第５の容量素子の一端を接続し、前記第２の抵抗素子の他端に第６の容量素子の一端を接続し、前記第３の抵抗素子の他端に第７の容量素子の一端を接続し、前記第４の抵抗素子の他端に第８の容量素子の一端を接続し、前記第５の容量素子の他端に前記第４の容量素子の他端および第１の出力端子を接続し、前記第６の容量素子の他端に前記第１の容量素子の他端および第２の出力端子を接続し、前記第７の容量素子の他端に前記第２の容量素子の他端および第３の出力端子を接続し、前記第８の容量素子の他端に前記第３の容量素子の他端および第４の出力端子を接続を接続したＲＣ位相器を用い、前記ｘ度位相器の第１の入力端子に前記４相電力分配器の０度位相信号を出力する端子を接続し、前記ｘ度位相器の第２の入力端子に前記４相電力分配器の９０度位相信号を出力する端子を接続し、前記ｘ度位相器の第３の入力端子に前記４相電力分配器の１８０度位相信号を出力する端子を接続し、前記ｘ度位相器の第４の入力端子に前記４相電力分配器の２７０度位相信号を出力する端子を接続した構成としている。
【手続補正４】
【補正対象書類名】明細書
【補正対象項目名】００１９
【補正方法】変更
【補正の内容】
【００１９】
また、本発明の請求項３における位相器は、０度、９０度、１８０度、２７０度位相差の出力信号を持つ４相電力分配器と、前記４相電力分配器から出力される前記４信号を入力し、０＜ｘ≦９０の任意の値ｘに対して０度、ｘ度、１８０度、（１８０＋ｘ）度の位相差を持つ４信号を出力するｘ度位相器とから構成され、前記ｘ度位相器として、第１の入力端子に第１の抵抗素子の一端および第１の容量素子の一端を接続し、第２の入力端子に第２の抵抗素子の一端および第２の容量素子の一端を接続し、第３の入力端子に第３の抵抗素子の一端および第３の容量素子の一端を接続し、第４の入力端子に第４の抵抗素子の一端および第４の抵抗素子の一端を接続し、前記第１の容量素子の他端に第５の抵抗素子の一端を接続し、前記第２の容量素子の他端に第６の抵抗素子の一端を接続し、前記第３の容量素子の他端に第７の抵抗素子の一端を接続し、前記第４の容量素子の他端に第８の抵抗素子の一端を接続し、前記第１の抵抗素子の他端に前記第８の抵抗素子の他端および第１の出力端子を接続し、前記第２の抵抗素子の他端に前記第５の抵抗素子の他端および第２の出力端子を接続し、前記第３の抵抗素子の他端に前記第６の抵抗素子の他端および第３の出力端子を接続し、前記第４の抵抗素子の他端に前記第７の抵抗素子の他端および第４の出力端子を接続したＲＣ位相器を用い、前記ｘ度位相器の第１の入力端子に前記ポリフェーズフィルタ型４相電力分配器の０度位相信号を出力する端子を接続し、前記ｘ度位相器の第２の入力端子に前記４相電力分配器の９０度位相信号を出力する端子を接続し、前記ｘ度位相器の第３の入力端子に前記４相電力分配器の１８０度位相信号を出力する端子を接続し、前記ｘ度位相器の第４の入力端子に前記４相電力分配器の２７０度位相信号を出力する端子を接続した構成としている。
【手続補正５】
【補正対象書類名】明細書
【補正対象項目名】００２０
【補正方法】変更
【補正の内容】
【００２０】
また、本発明の請求項４の位相器は、０度、９０度、１８０度、２７０度位相差の出力信号を持つ４相電力分配器と、前記４相電力分配器から出力される前記４信号を入力し、０＜ｘ≦９０の任意の値ｘに対して０度、ｘ度、１８０度、（１８０＋ｘ）度の位相差を持つ４信号を出力するｘ度位相器とから構成され、前記ｘ度位相器として、第１の入力端子に第１の抵抗素子の一端および第１の容量素子の一端を接続し、第２の入力端子に第２の抵抗素子の一端および第２の容量素子の一端を接続し、第３の入力端子に第３の抵抗素子の一端および第３の容量素子の一端を接続し、第４の入力端子に第４の抵抗素子の一端および第４の抵抗素子の一端を接続し、前記第１の抵抗素子の他端に第５の容量素子の一端を接続し、前記第２の抵抗素子の他端に第６の容量素子の一端を接続し、前記第３の抵抗素子の他端に第７の容量素子の一端を接続し、前記第４の抵抗素子の他端に第８の容量素子の一端を接続し、前記第１の容量素子の他端に第５の抵抗素子の一端を接続し、前記第２の容量素子の他端に第６の抵抗素子の一端を接続し、前記第３の容量素子の他端に第７の抵抗素子の一端を接続し、前記第４の容量素子の他端に第８の抵抗素子の一端を接続し、前記第５の容量素子の他端に前記第８の抵抗素子の他端および第１の出力端子を接続し、前記第６の容量素子の他端に前記第５の抵抗素子の他端および第２の出力端子を接続し、前記第７の容量素子の他端に前記第６の抵抗素子の他端および第３の出力端子を接続し、前記第８の容量素子の他端に前記第７の抵抗素子の他端および第４の出力端子を接続したＲＣ位相器を用い、前記ｘ度位相器の第１の入力端子に前記４相電力分配器の０度位相信号を出力する端子を接続し、前記ｘ度位相器の第２の入力端子に前記４相電力分配器の９０度位相信号を出力する端子を接続し、前記ｘ度位相器の第３の入力端子に前記４相電力分配器の１８０度位相信号を出力する端子を接続し、前記ｘ度位相器の第４の入力端子に前記４相電力分配器の２７０度位相信号を出力する端子を接続した構成としている。
【手続補正６】
【補正対象書類名】明細書
【補正対象項目名】００２１
【補正方法】変更
【補正の内容】
【００２１】
さらに、請求項５における位相器は、請求項１乃至請求項４の何れかに記載の広帯域位相器において、前記４相電力分配器として、基本ブロックが、第１の入力端子に第１の抵抗素子の一端および第１の容量素子の一端を接続し、第２の入力端子に第２の抵抗素子の一端および第２の容量素子の一端を接続し、第３の入力端子に第３の抵抗素子の一端および第３の容量素子の一端を接続し、第４の入力端子に第４の抵抗素子の一端および第４の容量素子の一端を接続し、前記第１の抵抗素子の他端に前記第４の容量素子の他端および第１の出力端子を接続し、前記第２の抵抗素子の他端に前記第１の容量素子の他端および第２の出力端子を接続し、前記第３の抵抗素子の他端に前記第２の容量素子の他端および第３の出力端子を接続し、前記第４の抵抗素子の他端に前記第３の容量素子の他端および第４の出力端子を接続した構成であり、前記基本ブロックの複数段構成とする場合の第１の出力端子に後段の第１の入力端子を接続し、第２の出力端子に後段の第２の入力端子を接続し、第３の出力端子に後段の第３の入力端子を接続し、第４の出力端子に後段の第４の入力端子を接続し、前記第１段目の基本ブロックにおける第２と第４の入力端子を接地し、前記第１と第３の入力端子に１８０度の位相差の信号を入力し、０度、９０度、１８０度、２７０度の位相差を持つ４信号を出力するポリフェーズフィルタ型４相電力分配器を用いる構成とした。
【手続補正７】
【補正対象書類名】明細書
【補正対象項目名】００２２
【補正方法】変更
【補正の内容】
【００２２】
本発明の請求項６における位相器は、請求項１乃至請求項４の何れかに記載の広帯域位相器において、前記４相電力分配器として、基本ブロックが、第１の入力端子に第１の抵抗素子の一端および第１の容量素子の一端を接続し、第２の入力端子に第２の抵抗素子の一端および第２の容量素子の一端を接続し、第３の入力端子に第３の抵抗素子の一端および第３の容量素子の一端を接続し、第４の入力端子に第４の抵抗素子の一端および第４の容量素子の一端を接続し、前記第１の抵抗素子の他端に前記第４の容量素子の他端および第１の出力端子を接続し、前記第２の抵抗素子の他端に前記第１の容量素子の他端および第２の出力端子を接続し、前記第３の抵抗素子の他端に前記第２の容量素子の他端および第３の出力端子を接続し、前記第４の抵抗素子の他端に前記第３の容量素子の他端および第４の出力端子を接続した構成であり、前記基本ブロックを複数段構成とする場合の第１の出力端子に後段の第１の入力端子を接続し、第２の出力端子に後段の第２の入力端子を接続し、第３の出力端子に後段の第３の入力端子を接続し、第４の出力端子に後段の第４の入力端子を接続し、前記第１段目の基本ブロックの第１と第２の入力端子に０度の、第３と第４の入力端子に１８０度の位相差の信号をそれぞれ入力し、０度、９０度、１８０度、２７０度の位相差を持つ４信号を出力するポリフェーズフィルタ型４相電力分配器を用いる構成とした。
以上述べた構成により、位相特性のみならず、振幅特性も広帯域な特性を実現することが可能となった点が従来の技術とは異なる。